(57)【要約】【課題】  学習机の天板後部に載置して使用する机上棚、あるいは学習机の後部又は側部に併設して使用する書棚等の棚装置において、棚装置を構成する両側板と背板とで形成された空間内に引出しユニット、本立、棚板等の付属部材を前後方向の移動を確実に制限して着脱可能に装着し、またコスト上昇を最小限に抑制できる棚装置における付属部材の支持装置を提供する。【解決手段】  棚装置を構成する両側板及び両側板間に設けた仕切板等の側面に、線ダボ２を略水平に取付け又は複数のピンダボを前後に間隔を隔てて略水平に並べて取付け、両側板間又は側板と仕切板間に着脱可能に装着する付属部材１の両側端面に、線ダボ又は複数のピンダボをスライド可能に受け入れる後方開放の支持溝３を形成し、付属部材の前後中間位置で支持溝の上部に線ダボ又は複数のピンダボを係合する凹段部４を連続して形成した。【選択図】        図３
2008301972.tif 000002
【特許請求の範囲】
【請求項１】
学習机の天板後部に載置して使用する机上棚、あるいは学習机の後部又は側部に併設して使用する書棚等の棚装置において、棚装置を構成する両側板及び両側板間に設けた仕切板等の側面に、線ダボを略水平に取付け又は複数のピンダボを前後に間隔を隔てて略水平に並べて取付け、両側板間又は側板と仕切板間に着脱可能に装着する付属部材の両側端面に、前記線ダボ又は複数のピンダボをスライド可能に受け入れる後方開放の支持溝を形成するとともに、前記付属部材の前後中間位置で前記支持溝の上部に前記線ダボ又は複数のピンダボを係合する凹段部を連続して形成したことを特徴とする棚装置における付属部材の支持装置。
【請求項２】
前記付属部材が、載置板の下面に引出しを前後スライド可能に設けた引出しユニット又は本立又は載置板の上面に仕切部材を突設した収納ユニット又は棚板である請求項１記載の棚装置における付属部材の支持装置。
【請求項３】
前記引出しユニットは、載置板の両側端下面に側面板を固定し、両側面板間に引出しを前後スライド可能に設け、前記側面板の外側面上縁に前記支持溝となる切欠部を後端から前部まで延びて形成するとともに、前記載置板の端面で前後中間部に下方へ開放した前記凹段部を形成してなる請求項１記載の棚装置における付属部材の支持装置。
【発明の詳細な説明】
【技術分野】
【０００１】
本発明は、棚装置における付属部材の支持装置に係わり、更に詳しくは引出しや棚板等の付属部材を側板や仕切板間に着脱可能に装着するための支持装置に関するものである。
【背景技術】
【０００２】
一般的に、学習机の天板後部に載置して使用する机上棚、あるいは学習机の後部又は側部に併設して使用する書棚等の棚装置において、棚装置を構成する両側板と背板とで形成された空間内に本立や棚板等の付属部材を着脱自在に装着する際に、側板や仕切板の側面にピンダボや線ダボを着脱可能に突設し、該ダボに付属部材の両側部を載支することは周知である。
【０００３】
また、特許文献１には、棚装置の両側板の中央に仕切板を固定し、両側板の内面側と前記仕切板の両面側にそれぞれ着脱自在に取付けた支持具で本立や棚板を着脱可能に支持する場合に、前記支持具として、奥行方向に延びた線ダボ又は複数のピンダボとし、前記側板及び仕切板に形成した係止孔に略水平に取付けた線ダボ又は略水平に並べて取付けた複数のピンダボをスライド可能に受け入れる後方開放の支持溝を前記本立及び棚板の両側部に形成した構造が開示されている。
【０００４】
しかし、単にピンダボや線ダボに付属部材の両側部を載支するだけでは、不意に付属部材が前方へ移動して落下する恐れもある。そのため、ピンダボの場合には、付属部材の側部下面にピンダボを受け入れる係合部を設けることもある。ところが、棚板の下面に引出しを一体的に備えた構造、あるいは前開放の箱体に引出しを設けた構造の引出しユニットでは、単に該ユニットの側面に線ダボを受け入れる後方開放の支持溝を形成しただけでは、引出しの操作中に不意に前方へ移動することもあり、その場合には片手でユニットを押えながら引出しを操作する必要があり、操作性に問題があった。
【特許文献１】特開２０００−２３７６５号公報（図２参照）
【発明の開示】
【発明が解決しようとする課題】
【０００５】
そこで、本発明が前述の状況に鑑み、解決しようとするところは、学習机の天板後部に載置して使用する机上棚、あるいは学習机の後部又は側部に併設して使用する書棚等の棚装置において、棚装置を構成する両側板と背板とで形成された空間内に引出しユニット、本立、棚板等の付属部材をピンダボや線ダボを用いて着脱自在に装着する際に、付属部材の前後方向の移動を確実に制限でき、またそのためのコスト上昇を最小限に抑制できる棚装置における付属部材の支持装置を提供する点にある。
【課題を解決するための手段】
【０００６】
本発明は、前述の課題解決のために、学習机の天板後部に載置して使用する机上棚、あるいは学習机の後部又は側部に併設して使用する書棚等の棚装置において、棚装置を構成する両側板及び両側板間に設けた仕切板等の側面に、線ダボを略水平に取付け又は複数のピンダボを前後に間隔を隔てて略水平に並べて取付け、両側板間又は側板と仕切板間に着脱可能に装着する付属部材の両側端面に、前記線ダボ又は複数のピンダボをスライド可能に受け入れる後方開放の支持溝を形成するとともに、前記付属部材の前後中間位置で前記支持溝の上部に前記線ダボ又は複数のピンダボを係合する凹段部を連続して形成したことを特徴とする棚装置における付属部材の支持装置を構成した（請求項１）。
【０００７】
ここで、前記付属部材が、載置板の下面に引出しを前後スライド可能に設けた引出しユニット又は本立又は載置板の上面に仕切部材を突設した収納ユニット又は棚板であることが好ましい（請求項２）。
【０００８】
そして、前記引出しユニットは、載置板の両側端下面に側面板を固定し、両側面板間に引出しを前後スライド可能に設け、前記側面板の外側面上縁に前記支持溝となる切欠部を後端から前部まで延びて形成するとともに、前記載置板の端面で前後中間部に下方へ開放した前記凹段部を形成してなることがより好ましい（請求項３）。
【発明の効果】
【０００９】
以上にしてなる請求項１に係る発明の棚装置における付属部材の支持装置は、棚装置を構成する両側板及び両側板間に設けた仕切板等の側面に、略水平に取付けた線ダボ又は前後に間隔を隔てて略水平に並べて取付けた複数のピンダボに、両側板間又は側板と仕切板間に前方から付属部材を挿入して、前記線ダボ又は複数のピンダボをその両側端面に形成した支持溝内にスライド可能に受け入れた後、付属部材を下降させて支持溝の上部に連続した凹段部に前記線ダボ又は複数のピンダボを係合することにより、付属部材を上下移動は勿論、前後移動を確実に制限して安定に支持することができる。また、そのための構造も付属部材の側端面に支持溝とその上部に連続する凹陥部を形成するだけの構造であるので、安価に構成することができるのである。
【００１０】
請求項２によれば、付属部材が、載置板の下面に引出しを前後スライド可能に設けた引出しユニット又は本立又は載置板の上面に仕切部材を突設した収納ユニット又は棚板であっても同様に上下前後の移動を制限して安定に支持することができる。
【００１１】
請求項３によれば、特に付属部材が載置板の下面に引出しを前後スライド可能に設けた引出しユニットであると、凹陥部内に線ダボ又は複数のピンダボが係合しているので、引出しを手前にスライド引き出す際でも、載置板を含むユニット本体が移動しないので、操作性に優れる。
【発明を実施するための最良の形態】
【００１２】
次に、添付図面に示した実施形態に基づき、本発明を更に詳細に説明する。図１及び図２は本発明の付属部材の支持装置を、学習机の後部に併設した書棚に適用した実施形態を示し、図３及び図４はその要部の詳細を示し、図中符号Ａは学習机、Ｂは書棚、１は引出しユニット、２は線ダボ、３は支持溝、４は凹陥部をそれぞれ示している。本実施形態では、付属部材として引出しユニット１を代表的に例示する。
【００１３】
本実施形態の学習机Ａは、天板５の両側部を脚体６，６で支持し、両脚体６の後端を前記天板５の後端より後方へ突出しないように設定するとともに、該天板５又は前記脚体６に直接又は他の部材を介して間接的に拡張天板７を設け、該拡張天板７が前記天板５の後端に連続して該天板５と上面を面一となした水平姿勢と、前記天板５の後端より後方へ突出しない格納姿勢とをとることが可能であるものである。
【００１４】
また、本実施形態の書棚Ｂは、図１に示すように、前記天板５と上面が同じ高さの固定棚板８を備えた下書棚Ｂ１と、該下書棚Ｂ１の上に分離可能に載置固定する上書棚Ｂ２とからなっている。それにより、図１に示すように、前記拡張天板７が水平姿勢において学習机Ａの後部に書棚Ｂを併設した際には、該拡張天板７と前記固定棚板８が連続して広い天板を構成する。また、図２に示すように、前記書棚Ｂから分離した上書棚Ｂ２を前記学習机Ａの天板５後部と拡張天板７の上面に載置固定し、机上棚を備えた学習机を構成することができる。勿論、前記学習机Ａと書棚Ｂは、それぞれ関係なく独立させて使用することも可能である。
【００１５】
前記上書棚Ｂ２は、両側板９，９の後部に背板１０を設けるとともに、両側板９，９間の中間で前記背板１０に仕切板１１を固定した構造となっている。そして、一方の側板９と仕切板１１の間に前記引出しユニット１を線ダボ２，２を用いて着脱可能に支持するのである。
【００１６】
本発明に係る棚装置における付属部材の支持装置は、棚装置（書棚Ｂ）を構成する両側板９，９及び両側板９，９間に設けた仕切板１１等の側面に線ダボ２を略水平に取付け、両側板９，９間又は側板９と仕切板１１間に着脱可能に装着する付属部材（引出しユニット１）の両側端面に、前記線ダボ２をスライド可能に受け入れる後方開放の支持溝３を形成するとともに、前記付属部材１の前後中間位置で前記支持溝３の上部に前記線ダボ２を係合する凹段部４を連続して形成したものである。ここで、前記線ダボ２の代わりに、複数のピンダボを前後に間隔を隔てて略水平に並べて取付けても良いが、支持における安定性の点では線ダボ２が勝っている。
【００１７】
更に詳しくは、図２及び図３に示すように、前記線ダボ２は、金属棒を平面視略コ字形に屈曲して形成したもので、水平な支持棒２Ａの両端に直角に係合部２Ｂ，２Ｂを形成した形状である。そして、前記側板９の内面側と前記仕切板１１の両面側にそれぞれ一対の係止孔１２，１２を略水平となるように前後に形成し、この対を上下に一定間隔毎に複数形成している。
【００１８】
そして、前記引出しユニット１は、載置板１３の両側端下面に側面板１４，１４を固定し、両側面板１４，１４間に引出し１５を前後スライド可能に設け、前記側面板１４の外側面上縁に前記支持溝３となる切欠部を後端から前部まで延びて形成するとともに、前記載置板１３の端面で前後中間部に下方へ開放した前記凹段部４を形成している。ここで、前記凹段部４は、引出しユニット１の前後中間部に設け、前記線ダボ２，２で支持した際に、バランス良く支持できるようにしている。
【００１９】
前記支持溝３の幅は、前記線ダボ２の線材の直径よりもやや大きく設定している。また、前記凹段部４の上下深さは、前記線ダボ２の線材の直径よりも大きく設定し、前後方向の長さは前記線ダボ２の支持棒２Ａの長さに合せている。但し、前記引出しユニット１を装着する部位の背面に背板１０があって、前記載置板１３の後端が該背板１０に当接する場合には、前記凹段部４の前端位置は線ダボ２よりも前方位置になっても構わない。要は、前記線ダボ２の支持棒２Ａが凹段部４に係合した状態で、前記引出しユニット１の前後移動を制限できれば良いのである。
【００２０】
前記線ダボ２の代わりにピンダボを用いる場合には、前記凹陥部４としてピンダボの位置に対応する前記支持溝３の上部にのみに間歇的に設けても良い。
【００２１】
本発明は、前記引出しユニット１において効果は顕著であるが、その他の付属部材としては図５に示すように、本立１６又は載置板の上面に仕切部材を突設した収納ユニット１７又は棚板１８を挙げることができる。
【００２２】
前記本立１６は、図５（ａ）に示すように、独立して使用することができるものであり、載置板１９の両側端に側面板２０，２０を立設するとともに、両側面板２０，２０の背面に背当り板２１を設け、更に適宜仕切板２２を設けた構造であり、前記載置板１９の両側端面に、前記同様な支持溝３と凹陥部４を形成している。
【００２３】
また、前記収納ユニット１７は、図５（ｂ）及び（ｃ）に示すように、載置板２３の上面に仕切部材２４を突設するとともに、載置板２３の両側端面に前記同様な支持溝３と凹陥部４を形成したものである。尚、図５（ｂ）は仕切部材２４として仕切板を載置板２３の上面中央部に突設したものであり、図５（ｃ）は仕切部材２４として金属線材を倒Ｕ字状に屈曲した部材を載置板２３の上面両側部に突設したものである。
【００２４】
そして、前記棚板１８は、図５（ｄ）に示すように、単純な板材の両側端面に前記同様な支持溝３と凹陥部４を形成したものである。
【図面の簡単な説明】
【００２５】
【図１】学習机の後部に併設した書棚に本発明の付属部材の支持装置を適用した実施形態を示す斜視図である。
【図２】学習机の天板後部に載置した上書棚に本発明の付属部材の支持装置を適用した実施形態を示す斜視図である。
【図３】本発明の要部を示し、線ダボと支持溝及び凹陥部の関係を示し、（ａ）は線ダボに支持溝を挿入する前の状態を示す部分斜視図、（ｂ）は線ダボを凹陥部に係合した状態を示す部分斜視図である。
【図４】線ダボを用いて引出しユニットを書棚に装着した状態の部分縦断面図である。
【図５】付属部材の他の例を示し、（ａ）は本立の斜視図、（ｂ）は載置板の上面に板状の仕切部材を突設した収納ユニットの斜視図、（ｃ）は載置板の上面に線材からなる仕切部材を突設した収納ユニットの斜視図、（ｄ）は棚板の斜視図である。
【符号の説明】
【００２６】
Ａ  学習机
Ｂ  書棚
Ｂ１  下書棚
Ｂ２  上書棚
１  引出しユニット
２  線ダボ
２Ａ  支持棒
２Ｂ  係合部
３  支持溝
４  凹段部
５  天板
６  脚体
７  拡張天板
８  固定棚板
９  側板
１０  背板
１１  仕切板
１２  係止孔
１３  載置板
１４  側面板
１５  引出し
１６  本立
１７  収納ユニット
１８  棚板
１９  載置板
２０  側面板
２１  背当り板
２２  仕切板
２３  載置板
２４  仕切部材
【図１】
2008301972.tif 000003
【図２】
2008301972.tif 000004
【図３】
2008301972.tif 000005
【図４】
2008301972.tif 000006
【図５】
2008301972.tif 000007